(57)【特許請求の範囲】
【請求項１】
音声データを画像データと対応付けて記録する情報端末装置において、
録音した音声データ又は録音されていた音声データに対応させる第１の画像データを選択する画像選択手段と、
前記音声データを加工する為の加工の種類に対応した第２の画像データを選択することにより、加工の種類を選択する加工種類選択手段と、
前記加工種類選択手段により選択された加工の種類に従って、前記録音した音声データ又は録音されていた音声データを加工する音声加工手段と、
前記音声加工手段により加工された音声データに、前記第１の画像データと前記第２の画像データを合成した画像データを対応付けて記録する合成画像記録手段と、
を備えたことを特徴とする情報端末装置。
【請求項２】
音声データを画像データと対応付けて記録する情報端末装置において、
録音した音声データ又は録音されていた音声データに対応させる第１の画像データを選択する第１画像選択手段と、
前記音声データの加工の種類を選択する加工種類選択手段と、
前記加工種類選択手段により選択された加工の種類に対応する第２の画像データを選択する第２画像選択手段と、
前記音声データの加工度を指定する加工度指定手段と、
前記加工種類選択手段により選択された加工の種類と、前記加工度指定手段により指定された加工度とに従って、前記録音した音声データ又は録音されていた音声データを加工する音声加工手段と、
前記音声加工手段により加工された音声データに、前記第１の画像データと前記第２の画像データを合成した画像データを対応付けて記録する合成画像記録手段と、
を備えたことを特徴とする情報端末装置。
【請求項３】
前記合成画像記録手段に記録された画像データを表示する合成画像表示手段と、
前記合成画像表示手段に表示された画像データを選択する合成画像選択手段と、
前記合成画像選択手段により前記画像データが選択されるごとに、前記音声加工手段により加工された音声データの加工度を変更して出力する加工度変更出力手段と、
前記加工度変更出力手段により変更された加工度に対応させて、前記画像データを切り替える画像切替手段と、
を更に備えたことを特徴とする請求項１又は２記載の情報端末装置。
【請求項４】
音声データを画像データと対応付けて記録する情報端末装置において、
録音した音声データ又は録音されていた音声データに対応させる第１の画像データを選択する第１画像選択手段と、
前記録音した音声データ又は録音されていた音声データを解析する音声解析手段と、
前記音声解析手段による解析結果に基づいて判定された加工の種類に対応する画像データ又は選択指定された新規の画像データを、第２の画像データとして選択する第２画像選択手段と、
前記録音した音声データ又は録音されていた音声データに、前記第１の画像データと前記第２の画像データを合成した画像データを対応付けて記録する合成画像記録手段と、
を備えたことを特徴とする情報端末装置。
【請求項５】
コンピュータに、
録音した音声データ又は録音されていた音声データに対応させる第１の画像データを選択する機能と、
前記音声データを加工する為の加工の種類に対応した第２の画像データを選択することにより、加工の種類を選択する機能と、
選択された加工の種類に従って、前記録音した音声データ又は録音されていた音声データを加工する機能と、
加工された音声データに、前記第１の画像データと前記第２の画像データを合成した画像データを対応付けて記録する機能と、
を実現させるためのプログラム。
【請求項６】
コンピュータに、
録音した音声データ又は録音されていた音声データに対応させる第１の画像データを選択する機能と、
前記音声データの加工の種類を選択する機能と、
選択された加工の種類に対応する第２の画像データを選択する機能と、
前記音声データの加工度を指定する機能と、
選択された加工の種類と、指定された加工度とに従って、前記録音した音声データ又は録音されていた音声データを加工する機能と、
加工された音声データに、前記第１の画像データと前記第２の画像データを合成した画像データを対応付けて記録する機能と、
を実現させるためのプログラム。
【請求項７】
コンピュータに、
録音した音声データ又は録音されていた音声データに対応させる第１の画像データを選択する機能と、
前記録音した音声データ又は録音されていた音声データを解析する機能と、
解析結果に基づいて判定された加工の種類に対応する画像データ又は選択指定された新規の画像データを、第２の画像データとして選択する機能と、
前記録音した音声データ又は録音されていた音声データに、前記第１の画像データと前記第２の画像データを合成した画像データを対応付けて記録する機能と、
を実現させるためのプログラム。
【発明の詳細な説明】
【０００１】
【発明の属する技術分野】
本発明は、音声データを画像データと対応付けて記録する情報端末装置、及びプログラムに関する。
【０００２】
【従来の技術】
近年、音楽のデジタルデータ化が進み、インターネット経由での音楽のダウンロードをはじめとして、ユーザがパソコン上で音声データを取り扱うことが増えてきた。従来、音声データを管理する機能として、音声データに音符やスピーカ等が表示された画像データを対応付けることによってパソコンの画面上で音声データであることを視覚的に区別できるようにし、当該画像データをマウスでクリックする等の簡単な操作で音声データが再生できる音声スタンプが利用されている。
【０００３】
通常、音声スタンプは録音、受信メールからの音声登録時に自動的にデフォルトの画像データが対応づけられており、ユーザがこの画像データを別の画像データに変更する機能を有している。画像データの変更は、ユーザが入力部を介して任意の画像データを選択することにより行い、選択された画像データには音声スタンプであることを示す音符が合成されている。
【０００４】
【発明が解決しようとする課題】
しかしながら、従来の音声スタンプでは、画像データの変更はできるものの、既存の音声データの音質を変化させる等の加工をしたり、加工の種類と度合いに応じて画像データを変化させる機能がなかった。このため、ユーザが思い通りに音声データの加工を行って、加工の種類と度合いを視覚的に識別可能な音声スタンプを作成することはできなかった。
【０００５】
本発明の課題は、音声データの加工の種類と加工度に対応した画像データを作成、表示することにより、ユーザが簡単に音声データを加工できるようにするとともに、音声データの加工内容を容易に知ることができるようにすることである。
【０００６】
【課題を解決するための手段】
本発明は、上記課題を解決するため、以下の様な特徴を備えている。以下に示す手段の説明において、実施の形態に対応する構成を括弧内に例示する。なお、符号は後記の図面参照符号に対応する。
【０００７】
請求項１記載の発明は、
音声データを画像データと対応付けて記録する情報端末装置（例えば、図１の情報端末装置１）において、
録音した音声データ又は録音されていた音声データに対応させる第１の画像データを選択する画像選択手段（例えば、図７のステップＳ１０を実行するための入力部１２）と、
前記音声データを加工する為の加工の種類に対応した第２の画像データを選択することにより、加工の種類を選択する加工種類選択手段（例えば、図７のステップＳ１３を実行するための入力部１２）と、
前記加工種類選択手段により選択された加工の種類に従って、前記録音した音声データ又は録音されていた音声データを加工する音声加工手段（例えば、図７のステップＳ１４を実行するためのＣＰＵ１１）と、
前記音声加工手段により加工された音声データに、前記第１の画像データと前記第２の画像データを合成した画像データを対応付けて記録する合成画像記録手段（例えば、図７のステップＳ１６〜ステップＳ１８を記憶装置１７に実行させるためのＣＰＵ１１）と、
を備えたことを特徴としている。
【０００８】
請求項１記載の発明によれば、録音した、あるいは録音されていた音声データに対応させる画像データを、一覧表示した画像データの中から選択し、音声データを加工する為の加工の種類に対応した第２の画像データを選択することにより、加工の種類を選択する。そして、選択された加工の種類に従って、音声データを加工し、加工された音声データを第１の画像データと第２の画像データを合成した画像データと対応付けて記録する。従って、ユーザは音声データに対して思い通りの加工をすることができ、また、加工の種類に応じた画像データを表示することにより、音声データの加工内容を容易に知ることができるようになる。
【０００９】
請求項２記載の発明によれば、
音声データを画像データと対応付けて記録する情報端末装置（例えば、図１の情報端末装置１）において、
録音した音声データ又は録音されていた音声データに対応させる第１の画像データを選択する第１画像選択手段（例えば、図１５のステップＳ３０を実行するための入力部１２）と、
前記音声データの加工の種類を選択する加工種類選択手段（例えば、図１５のステップＳ３２を実行するための入力部１２）と、
前記加工種類選択手段により選択された加工の種類に対応する第２の画像データを選択する第２画像選択手段（例えば、図１５のステップＳ３３を実行するための入力部１２）と、
前記音声データの加工度を指定する加工度指定手段（例えば、図１５のステップＳ３４を実行するための入力部１２）と、
前記加工種類選択手段により選択された加工の種類と、前記加工度指定手段により指定された加工度とに従って、前記録音した音声データ又は録音されていた音声データを加工する音声加工手段（例えば、図１５のステップＳ３５を実行するためのＣＰＵ１１）と、
前記音声加工手段により加工された音声データに、前記第１の画像データと前記第２の画像データを合成した画像データを対応付けて記録する合成画像記録手段（例えば、図１５のステップＳ３７〜ステップＳ３９を記憶装置１７に実行させるためのＣＰＵ１１）と、
を備えたことを特徴としている。
【００１０】
請求項２記載の発明によれば、録音した、あるいは録音されていた音声データに対応させる画像データを、一覧表示した画像データの中から選択し、音声データの加工の種類を選択し、選択された加工の種類に対応する第２の画像データを選択した後、音声データの加工度を指定する。そして、選択された加工の種類と指定された加工度に従って、音声データを加工し、加工された音声データを第１の画像データと第２の画像データを合成した画像データと対応付けて記録する。従って、ユーザは音声データに対して思い通りの加工をすることができ、また、加工の種類に応じた画像データを表示することにより、音声データの加工内容を容易に知ることができるようになる。
【００１１】
請求項４記載の発明は、
音声データを画像データと対応付けて記録する情報端末装置（例えば、図１の情報端末装置１）において、
録音した音声データ又は録音されていた音声データに対応させる第１の画像データを選択する第１画像選択手段（例えば、図２８のステップＳ７０を実行するための入力部１２）と、
前記録音した音声データ又は録音されていた音声データを解析する音声解析手段（例えば、図２８のステップＳ７１を実行するためのＣＰＵ１１）と、
前記音声解析手段による解析結果に基づいて判定された加工の種類に対応する画像データ又は選択指定された新規の画像データを、第２の画像データとして選択する第２画像選択手段（例えば、図２８のステップＳ７３〜Ｓ７５を実行するための入力部１２）と、
前記録音した音声データ又は録音されていた音声データに、前記第１の画像データと前記第２の画像データを合成した画像データを対応付けて記録する合成画像記録手段（例えば、図２８のステップＳ７６〜ステップＳ７８を記憶装置１７に実行させるためのＣＰＵ１１）と、
を備えたことを特徴としている。
【００１２】
請求項４記載の発明によれば、録音した、あるいは録音されていた音声データに対応させる画像データを、一覧表示した画像データの中から選択し、音声データを解析し、解析した結果に基づいて判定された加工の種類に対応する画像データ、又は選択指定された新規の画像データを第２の画像データとして選択し、前記音声データを第１の画像データと第２の画像データを合成した画像データと対応付けて記録する。従って、音声データの内容が視覚的に識別可能となり、その結果、ユーザは音声データの加工内容を一目で把握できるようになる。従って、音声データの内容が視覚的に識別可能となり、その結果、ユーザは音声データの加工内容を一目で把握できるようになる。
【００１３】
【発明の実施の形態】
以下、図を参照して本発明の実施の形態を詳細に説明する。
【００１４】
〔第１の実施の形態〕
まず、構成を説明する。
図１は、本実施の形態における情報端末装置１の全体構成を示す図である。図１に示す様に、情報端末装置１は、ＣＰＵ１１、入力部１２、ＲＡＭ１３、伝送制御部１４、ＶＲＡＭ１５、表示部１６、記録媒体１７ａを有する記憶装置１７、スピーカ１８ａ、マイク１８ｂを備えた音声処理部１８により構成され、記録媒体１７ａを除く各部は、バス１９により接続されているコンピュータである。
【００１５】
ＣＰＵ（Central Processing Unit）１１は、記憶装置１７の有する記録媒体１７ａに記憶されている各種制御プログラムを読み出し、ＲＡＭ１３内に形成されたワークメモリに展開し、該制御プログラムに従って各部の動作を集中制御する。また、ＣＰＵ１１は、ＲＡＭ１３内のワークメモリに展開した制御プログラムに従って、後述する音声スタンプ作成処理Ａ等を実行し、その処理結果をＲＡＭ１３内のワークメモリに格納すると共に表示部１６に表示させる。そして、ワークメモリに格納した処理結果を、記憶装置１７或いは記録媒体１７ａ内の所定の保存先に保存させる。
【００１６】
すなわち、ＣＰＵ１１は、音声スタンプ作成処理Ａの実行に際して、音声の録音指示があると、録音を開始して音声スタンプを作成するための音声データを作成する。録音の指示がなければ、過去に録音した音声データの一覧を表示して、一覧の中から選択された音声データを、音声スタンプを作成する音声データとして認識する。そして、画像データの一覧を表示させて、録音された、あるいは選択された音声データに対応させる画像データを選択する。画像データの選択後、音声データ加工の指示があると、加工の種類と加工度合いを表す合成マークの一覧を表示させ、選択された合成マークに対応した加工処理を音声データに対して行う。そして、選択された画像データと合成マークを合成し、合成した画像に加工済みの音声データを関連付けて音声スタンプを設定し登録する。音声データ加工の指示がなければ、選択された画像データに、録音された、あるいは選択された音声データを関連付けて音声スタンプを設定し登録する。
【００１７】
入力部１２は、文字／英数字入力キー、カーソルキー、及び各種機能キー等を備えたキーボードと、ポインティングデバイスであるマウスと、を備えて構成され、キーボードで押圧操作されたキーの押圧信号とマウスによる操作信号とを、入力信号としてＣＰＵ１１へ出力する。若しくは、入力部１２は、表示部１６の表示画面を覆う透明なシートパネルに、指又は専用のタッチペンで触れることにより入力される位置情報を入力信号としてＣＰＵ１１へ出力する、タッチパネルにより構成される。
【００１８】
ＲＡＭ（Random Access Memory）１３は、ＣＰＵ１１により実行制御される上記各種処理において、記憶装置１７から読み出された情報端末装置１で実行可能なシステムプログラム、制御プログラム、入力若しくは出力データ、及びパラメータ等を一時的に格納する。
【００１９】
伝送制御部１４は、ルータやＴＡ（Terminal Adapter）等によって構成され、専用線、或いはＩＳＤＮ（Integrated Service Digital Network）回線等の通信回線を介してネットワークに接続された他の端末との通信制御を行う。ルータは、情報端末装置１がＬＡＮを構成している場合に、外部のＬＡＮとの間を接続する装置であり、ＴＡは、ＩＳＤＮ回線を介して外部機器との通信を行うために、既存のインタフェースをＩＳＤＮに対応するインタフェースに変換する装置である。
【００２０】
ＶＲＡＭ１５は、ＣＰＵ１１の表示指示に従って、表示部１６に表示するための画像データを一時的に格納する。表示部１６は、ＬＣＤ（Liquid Crystal Display）やＣＲＴ（Cathode Ray Tube）等により構成され、ＣＰＵ１１から入力される表示信号の指示に従って、表示画面上に、後述する音声データファイル選択画面１００１、画像データ選択画面１００２、合成マーク選択画面１００３、音声スタンプ設定画面１００４等の表示を行う。
【００２１】
記憶装置１７は、プログラムやデータ等が予め記憶された記録媒体１７ａを有し、この記録媒体１７ａは磁気的、光学的記録媒体、若しくは半導体等の不揮発性メモリで構成されている。記録媒体１７ａは、記憶装置１７に固定的に設けたもの、若しくは着脱自在に装着するものであり、記録媒体１７ａには情報端末装置１に対応するシステムプログラム、及び該システムプログラム上で実行可能な音声スタンプ作成処理Ａ等の各種処理プログラム、及びこれらのプログラムで処理されたデータ等を記憶する。これらの各処理プログラムは、読み取り可能なプログラムコードの形態で格納され、ＣＰＵ１１は、当該プログラムコードに従った動作を逐次実行する。
【００２２】
本実施の形態において、記憶装置１７は、図２に示す様に、内部に音声データファイル１７１、画像データファイル１７２、音声スタンプ登録情報ファイル（１）１７３、合成マークファイル１７４を有して構成される。以下、これら各ファイル内のデータ構成について図３〜図６を参照して詳細に説明する。
【００２３】
図３は、録音した音声データを格納する音声データファイル１７１内のデータ格納例を示す図である。図３に示す様に、音声データファイル１７１は、音声データを特定する為に一意的に割り当てられた識別コード（例えば、“yama.def”、“kawa.def”、“umi.def”、…）を「音声データ名」として格納する音声データ名領域１７１ａと、録音された、あるいは既存の音声データ（例えば、“音声１”、“音声２”、“音声３”…）を「音声データ」として格納する音声データ領域１７１ｂと、を有する。
【００２４】
図４は、画像データを格納する画像データファイル１７２内のデータ格納例を示す図である。図４に示す様に、画像データファイル１７２は、画像データを特定する為に一意的に割り当てられた識別コード（例えば、“speaker.ghi”、“house.ghi”、“maru.ghi”、…）を「画像データ名」として格納する画像データ名領域１７２ａと、登録された、あるいは既存の画像データ（例えば、“画像１”、“画像２”、“画像３”…）を「画像データ」として格納する画像データ領域１７２ｂと、を有する。
【００２５】
図５は、音声スタンプの登録に必要な情報を格納する音声スタンプ登録情報ファイル（１）１７３内のデータ格納例を示す図である。図５に示す様に、音声スタンプ登録情報ファイル（１）１７３は、音声スタンプを特定するために一意的に割り当てられた識別コード（例えば、“onsei.abc”、“onsei1.abc”、“onsei2.abc”、…）を「ファイル名」として格納するファイル名領域１７３ａと、当該音声スタンプに登録されている音声データを特定するために一意的に割り当てられた識別コード（例えば、“yama.def”、“kawa.def”、“umi.def”、…）を「音声データ名」として格納する音声データ名領域１７３ｂと、該音声スタンプに登録されている画像データを特定する為に一意的に割り当てられた識別コード（例えば、“speaker.ghi”、“house.ghi”、“maru.ghi”、…）を「画像データ名」として格納する画像データ名領域１７３ｃと、該音声データに施された加工の種類を表す文字列データ（例えば、“音量”、“音の高さ”、“音質”、…）を「加工の種類」として格納する加工の種類領域１７３ｄと、該音声データに施された加工度を表す数値データ（例えば、“１”、“２”、“４”、…）を「加工度」として格納する加工度領域１７３ｅと、該音声スタンプが登録された日付を表す日付データ（例えば、“01.03.10”、“01.03.09”、“01.02.10”、…）を「登録日」として格納する登録日領域１７３ｆと、該音声スタンプが登録された時間を表すデータ（例えば、“15：01”、“14：58”、“12：00”、…）を「登録時間」として格納する登録時間領域１７３ｇと、を有する。なお、「加工の種類」と「加工度」は、音声スタンプ作成時に音声データを加工しなかった場合は空欄となる。
【００２６】
図６は、音声データの加工の種類、加工度に対応づけた合成マークを格納する合成マークファイル１７４内のデータ格納例を示す図である。図６に示す様に、合成マークファイル１７４は、加工の種類を表す文字列データ（例えば、“音量”、…）を「加工の種類」として格納する加工の種類領域１７４ａと、加工度を表す数値データ（例えば、“１”、“２”、“３”…）を「加工度」として格納する加工度領域１７４ｂと、合成マークの画像データ（例えば、“音符１”、“音符２”、“音符３”、…）を「合成マークデータ」として格納する合成マークデータ領域１７４ｃと、を有する。
【００２７】
音声処理部１８は、アナログ／デジタル変換器、増幅器等により構成され、スピーカ１８ａ、マイク１８ｂを備える。音声処理部１８は、記憶装置１７に格納されている音声データを変換器でアナログ信号に変換し、増幅器を介してスピーカ１８ａから外部に出力する。また、音声処理部１８は、マイク１８ｂ等から入力される音声信号を変換器によりデジタル信号に変換し、音声データファイル１７１に音声データとして格納する。
【００２８】
次に、動作を説明する。
情報端末装置１により実行される音声スタンプ作成処理Ａについて図７のフローチャートを参照して説明する。
動作説明の前提として、以下のフローチャートに記述されている各機能を実現するためのプログラムは、読み取り可能なプログラムコードの形態で記録媒体１７ａに格納されており、ＣＰＵ１１は、上記プログラムコードに従った動作を逐次実行する。また、ＣＰＵ１１は、伝送媒体を介して伝送されてきた上述のプログラムコードに従った動作を逐次実行することもできる。すなわち、記録媒体１７ａの他、伝送媒体を介して外部供給されたプログラム或いはデータを利用して本実施の形態特有の動作を実行することもできる。
【００２９】
まず、ＣＰＵ１１は、入力部１２により音声スタンプの作成を指示する信号が入力されると（ステップＳ１）、録音して音声データを作成するか、既存の音声データを利用するか、の選択画面を表示する（ステップＳ２）。録音が選択されると（ステップＳ３；Ｙ）、ＣＰＵ１１は、音声処理部１８を介して録音を開始し（ステップＳ４）、録音が終了すると（ステップＳ５；Ｙ）、音声データファイルを作成し、当該音声データファイルを、音声スタンプを作成するための音声データとして認識する（ステップＳ６）。一方、既存の音声データの利用が選択されると（ステップＳ３；Ｎ）、ＣＰＵ１１は、記憶装置１７に記憶されている音声データファイル１７１の一覧を表示し（ステップＳ７）、音声データが選択されると、当該音声データを、音声スタンプを作成するための音声データとして認識する（ステップＳ８）。
【００３０】
図８は、ステップＳ７で表示部１６に表示される音声データファイル１７１の一覧を示す音声データファイル選択画面１００１の例を示す図である。図８に示す様に、音声データファイル選択画面１００１は、「音声データを選択して下さい」等のユーザへの指示メッセージが表示され、その下に音声データのファイルが一覧表示される。ユーザは、一覧表示されている音声データファイルの中から所望のファイルに対応するファイル名にカーソルを合わせ、選択ボタンを指定することにより、音声データを選択する。
【００３１】
次に、ＣＰＵ１１は、記憶装置１７に記憶されている画像データファイル１７２の画像データを表示する（ステップＳ９）。表示一覧の中から当該音声データに対応させる画像データが選択されると（ステップＳ１０）、ＣＰＵ１１は、当該音声データを加工するか否かの選択画面を表示部１６に表示させる。加工することが選択されると（ステップＳ１１；Ｙ）、記憶装置１７に記憶されている合成マークファイル１７４の合成マークと、合成マークに対応する加工の種類を一覧表示する（ステップＳ１２）。
【００３２】
合成マークが選択されると（ステップＳ１３）、ＣＰＵ１１は、当該音声データに、当該合成マークに対応した加工処理を行う（ステップＳ１４）。音声データの加工処理が終了すると、ＣＰＵ１１は、当該合成マークと当該画像データの合成を行い（ステップＳ１５）、合成した画像に対して当該音声データを関連付け（ステップＳ１６）、音声スタンプを設定登録し、一連の音声スタンプ作成処理Ａを終了する（ステップＳ１８）。
【００３３】
図９は、ステップＳ９で表示部１６に表示される画像データファイル１７２の画像一覧を示す画像データ選択画面１００２の例を図示している。図９に示す様に、画像データ選択画面１００２は、「音声スタンプの画像を選択して下さい」等のユーザへの指示メッセージが表示され、その下に画像データの内容が表示される。ユーザは一覧表示されている画像の中から所望の画像にカーソルを合わせ、選択ボタンを指定することにより、画像データを選択する。画像データ選択画面１００２では、画像データ（ａ）の様なスピーカの画像が選択されたことを示している。
【００３４】
図１０、図１１は、ステップＳ１１で音声データの加工が選択された場合に、ステップＳ１２〜ステップＳ１８において音声データが加工され、音声スタンプが設定登録される過程で表示部１６に表示される画面の例である。
【００３５】
図１０は、ステップＳ１３で表示部１６に表示される合成マークファイル１７４の一覧を示す合成マーク選択画面１００３の例を図示している。図１０に示す様に、合成マーク選択画面１００３は、「音声効果の画像を選択して下さい」等のユーザへの指示メッセージが表示され、その下に音声データの加工の種類に対応した合成マークが表示される。ユーザは、表示されている合成マークの中から希望する音声データの加工の種類に対応している合成マークにカーソルを合わせることにより、音声データの加工の種類を選択する。合成マーク選択画面１００３では、音量を最小にすることを示す加工の種類に対応している合成マークである最も薄色の音符が選択されたことを示している。
【００３６】
図１１は、ステップＳ１８で表示部１６に表示される音声スタンプ設定画面１００４の例を示す図である。音声スタンプ設定画面１００４では、図９で選択された画像（ここでは、スピーカ）と、図１０で選択された合成マーク（ここでは、最も薄色の音符）を合成した音声スタンプが表示されている。画面最下部に指示されている登録ボタンの選択操作を行うと、表示されている音声スタンプが登録（記録）される。
【００３７】
なお、音声データの加工の種類を示す画像は、ここでは音符等の合成マークとしているが、額縁等であってもよい。即ち、図９で選択された画像データに額縁をつけて、その額縁の形状、模様、色等により加工の種類を区別するようにしてもよい。この場合、音符等の合成マークと額縁を併用するこも勿論可能である。
【００３８】
一方、ステップＳ１１において、当該音声データを加工しないという指示があると（ステップＳ１１；Ｎ）、ＣＰＵ１１は、画像データに当該音声データを関連付け（ステップＳ１７）、音声スタンプを設定登録し、一連の音声スタンプ作成処理Ａを終了する（ステップＳ１８）。
【００３９】
図１２は、ステップＳ９でスピーカの画像を選択し、ステップＳ１１で音声データの加工をしないことを選択した場合にステップＳ１８で表示部１６に表示される音声スタンプ設定画面１００５の例を示す図である。画面下に指示されている登録ボタンの選択操作を行うと、表示されている音声スタンプが登録される。
【００４０】
以上説明した様に、情報端末装置１によれば、音声データと所望の画像データを対応付けて音声スタンプを作成、登録する。音声データは加工することができ、加工する場合には、音声データの加工の種類に対応した合成マークを選択することによって音声データに加工を行い、合成マークと画像データとを合成した画像を音声スタンプとして設定する。これによって、ユーザが簡単に音声データを加工できるようになり、設定された音声スタンプの画像から、加工の種類を容易に知ることができるようになる。
【００４１】
なお、上記第１の実施の形態における記述内容は、本発明に係る情報端末装置１の好適な一例であり、これに限定されるものではない。
例えば、上記実施の形態では、ステップＳ６で録音した音声データファイル１７１を作成した後に、引き続き音声スタンプの作成のステップに入っているが、録音、作成した音声データファイル１７１を保存しておき、後日音声スタンプを作成することもできる。また、予め音声データの加工の種類を決めてから録音し、録音した音声データを自動的に加工して音声スタンプを作成するものとしてもよい。
【００４２】
さらに、上記実施の形態によれば、ステップＳ１４の音声データ加工のあと、すぐに画像データを合成しているが、一旦加工した音声データを出力して、ユーザの嗜好にあった音声が出力されなければ、ステップＳ１２の合成マーク一覧表示のステップまで戻り、嗜好にあった音声加工がなされるまでステップＳ１２〜ステップＳ１４の各処理を繰り返し行うようにしてもよい。
【００４３】
〔第２の実施の形態〕
以下、第１の実施の形態の応用例として、音声データの加工の種類と加工度を指定して、その指定に基づいて音声データを加工し、加工した音声データに対応して、画像データの大きさ、明るさ等を変化させたもの（以下、「画像エフェクト」と記す。）を利用した実施の形態について詳述する。なお、本実施の形態における情報端末装置１の構成は、上述した第１の実施の形態と同様であるので、各構成要素には同一の符号を付し、その構成の図示及び説明は省略する。
【００４４】
但し、情報端末装置１の記憶装置１７は、図１３に示すように、内部に音声データファイル１７１、画像データファイル１７２、音声スタンプ登録情報ファイル（２）１７５を有して構成されており、音声スタンプ登録情報ファイル（２）１７５は、本実施の形態特有の構成要素であるので以下詳細に説明する。
【００４５】
図１４は、後述する音声スタンプ作成処理Ｂにおいて音声スタンプの登録に必要な情報を格納する音声スタンプ登録情報ファイル（２）１７５内のデータ格納例を示す図である。図１５に示す様に、音声スタンプ登録情報ファイル（２）１７５は、ファイル名領域１７５ａと、音声データ名領域１７５ｂと、画像データ名領域１７５ｃと、加工の種類領域１７５ｄと、加工度領域１７５ｅと、画像エフェクト情報１７５ｆと、登録日領域１７５ｇと、登録時間領域１７５ｈと、から構成される。
【００４６】
ファイル名領域１７５ａは、音声スタンプを特定するために一意的に割り当てられた識別コード（例えば、“onsei.abc”、“onsei1.abc”、“onsei2.abc”、…）を「ファイル名」として格納する。音声データ名領域１７５ｂは、当該音声スタンプに登録されている音声データを特定するために一意的に割り当てられた識別コード（例えば、“yama.def”、“kawa.def”、“umi.def”、…）を「音声データ名」として格納する。画像データ名領域１７５ｃは、音声スタンプに登録されている画像データを特定する為に一意的に割り当てられた識別コード（例えば、“speaker.ghi”、“house.ghi”、“maru.ghi”、…）を「画像データ名」として格納する。
【００４７】
加工の種類領域１７５ｄは、該音声データに施された加工の種類を表す文字列データ（例えば、“音量”、“音質”、…）を「加工の種類」として格納する。加工度領域１７５ｅは、該音声データに施された加工度を表す数値データ（例えば、“１”、“４”、…）を「加工度」として格納する。画像エフェクト情報１７５ｆは、音声データの加工の種類と度合いによって画像をどのように変化させるかを関連付けた情報を識別するための記号データ（例えば、“ａ”、“ｂ”…）を「画像エフェクト情報」として格納する。なお、「加工の種類」、「加工度」、「画像エフェクト情報」は、音声スタンプ作成時に音声データを加工しなかった場合は上から２番目のレコードの様に空欄となる。
【００４８】
登録日領域１７５ｇは、該音声スタンプが登録された日付を表す日付データ（例えば、“01.03.10”、“01.03.09”、“01.02.10”、…）を「登録日」として格納する。登録時間領域１７５ｈは、該音声スタンプが登録された時間を表すデータ（例えば、“15：01”、“14：58”、“12：00”、…）を「登録時間」として格納する。
【００４９】
次に動作を説明する。
情報端末装置１により実行される音声スタンプ作成処理Ｂについて図１５のフローチャートを参照して説明する。
まず、ＣＰＵ１１は、入力部１２により音声スタンプの作成を指示する信号が入力されると（ステップＳ２１）、録音して音声データを作成するか、既存の音声データを利用するか、の選択画面を表示させる（ステップＳ２２）。録音が選択されると（ステップＳ２３；Ｙ）、ＣＰＵ１１は、音声処理部１８により録音を開始し（ステップＳ２４）、録音が終了すると（ステップＳ２５；Ｙ）、音声データファイルを作成し、当該音声データファイルを、音声スタンプを作成するための音声データとして認識する（ステップＳ２６）。
【００５０】
一方、既存の音声データの利用が選択されると（ステップＳ２３；Ｎ）、ＣＰＵ１１は、記憶装置１７に記憶されている音声データファイル１７１の一覧を表示し（ステップＳ２７）、音声データが選択されると、当該音声データを、音声スタンプを作成するための音声データとして認識する（ステップＳ２８）。
【００５１】
次に、ＣＰＵ１１は、記憶装置１７に記憶されている画像データファイル１７２の画像データを表示させる（ステップＳ２９）。表示一覧の中から当該音声データに対応させる画像データが選択されると（ステップＳ３０）、ＣＰＵ１１は、当該音声データを加工するか否かの選択画面を表示させる。加工することが選択されると（ステップＳ３１；Ｙ）、ＣＰＵ１１は、加工の種類を一覧にした選択画面を表示させる。
【００５２】
加工の種類が選択されると（ステップＳ３２）、ＣＰＵ１１は、上述した画像エフェクトの一覧画面を表示部１６に表示させ、選択された画像エフェクトと音声データの加工の種類とを関連づける（ステップＳ３３）。
【００５３】
次いで、ＣＰＵ１１は、加工度を入力する画面を表示部１６に表示し、加工度が入力されると（ステップＳ３４）、入力された加工度に従って音声データを加工する（ステップＳ３５）。音声データを加工すると、ＣＰＵ１１は、ステップＳ３３で選択された画像エフェクトに従い、画像データを変更し（ステップＳ３６）、変更した画像データに音声データを関連付け（ステップＳ３７）、音声スタンプを設定登録し、一連の音声スタンプ作成処理Ｂを終了する（ステップＳ３９）。
【００５４】
以下に示す図１６〜図２１は、ステップＳ３１で音声データの加工が選択された場合に、ステップＳ３２〜ステップＳ３９において音声スタンプが設定登録される過程を示す表示画面の例である。
【００５５】
図１６は、ステップＳ３２で表示部１６に表示される音声データに施す加工の種類選択画面１００６の例を示す図である。図１６に示す様に、加工の種類選択画面１００６は、「音声データの加工の種類を選択して下さい」等のユーザへの指示メッセージが表示され、その下に音声データの加工の種類が表示される。ユーザは、一覧表示されている音声データの加工の種類の中から、音声データに施そうとする加工の種類にカーソルを合わせることによりにより、音声データの加工の種類を選択する。当該加工の種類選択画面１００６では、音量変更が選択された様子を示している。
【００５６】
図１７は、ステップＳ３３で表示部１６に表示される、ステップＳ３２で選択された音声データの加工の種類に対応する画像エフェクト選択画面１００７の例を示す図である。図１７に示す様に、画像エフェクト選択画面１００７は、「音量変化に対応する画像エフェクトを選択して下さい」等のユーザへの指示メッセージが表示され、その下に画像エフェクトによる画像データの変化が表示される。ユーザは、一覧表示された画像エフェクトの中から所望の画像エフェクトにカーソルを合わせることによって、音声データの加工の種類に対応する画像エフェクトを選択する。当該画像エフェクト選択画面１００７では、音量変化と画像のサイズが関連付けられた様子を示している。
【００５７】
図１８〜図２１は、ステップＳ３４で表示部１６に表示される加工度入力画面の一例である。図１８は、ステップＳ３２で加工の種類として音量が選択され、ステップＳ３３で画像エフェクトとして画像データの画像サイズの変更が選択された場合に表示される加工度入力画面１００８の例を示す図である。図１８に示す様に、加工度入力画面１００８は、「加工度を入力して下さい」等のユーザへの指示メッセージが表示される。その下にはステップＳ３０で選択された画像データの画像サイズが音声データの加工度と対応づけて表示され、更にその下に加工度を数値で入力可能な領域１００８ａが設けられている。ユーザは、領域１００８ａに数値を入力することにより、加工度を指定する。画面最下部に指示されている決定ボタンの指定操作を行うと、入力された加工度が設定される。
【００５８】
図１９は、ステップＳ３２で加工の種類として音量が選択され、ステップＳ３３で画像エフェクトとして合成マークのサイズ変更が選択された場合に表示される加工度入力画面１００９の例を示す図である。図１９に示す様に、加工度入力画面１００９は、「加工度を入力して下さい」等のユーザへの指示メッセージが表示される。その下には合成マークである音符のサイズが音声データの加工度と対応づけて表示され、更にその下に加工度を数値で入力可能な領域１００９ａが設けられている。ユーザは、領域１００９ａに数値を入力することにより、加工度を指定する。画面最下部に指示されている決定ボタンの指定操作を行うと、入力された加工度が設定される。
【００５９】
図２０は、ステップＳ３２で加工の種類として音質が選択され、ステップＳ３３で画像エフェクトとして画像データの明るさの変更が選択された場合に表示される加工度入力画面１０１０の例を示す図である。図２０に示す様に、加工度入力画面１０１０は、「加工度を入力して下さい」等のユーザへの指示メッセージが表示される。その下にはステップＳ３０で選択された画像データの画像の明るさが音声データの加工度と対応づけて表示され、更にその下には加工度を数値で入力可能な領域１０１０ａが設けられている。ユーザは、領域１０１０ａに数値を入力することにより、加工度を指定する。画面下に指示されている決定ボタンの指定操作を行うと、入力された加工度が設定される。
【００６０】
図２１は、ステップＳ３２で加工の種類として音の高さが選択され、ステップＳ３３で画像エフェクトとして合成マークの明るさの変更が選択された場合に表示される加工度入力画面１０１１の例を示す図である。図２１に示す様に、加工度入力画面１０１１は、「加工度を入力して下さい」等のユーザへの指示メッセージが表示される。その下には合成マークである音符の明るさが音声データの加工度と対応づけて表示され、更にその下に加工度を数値で入力可能な領域１０１１ａが設けられている。ユーザは、領域１０１１ａに数値を入力することにより、加工度を指定する。、画面最下部に指示されている決定ボタンの指定操作を行うと、入力された加工度が設定される。
【００６１】
図２２は、ステップＳ３９で表示部１６に表示される音声スタンプ設定画面１０１２の例を示す図である。音声スタンプ設定画面１０１２では、図９で選択された画像（ここでは、スピーカ）に、図１６で選択された音声データの加工の種類（ここでは、音量）と図１８で入力された加工度に対応した画像エフェクト（ここでは、画像の大きさ）をかけることによって作成した音声スタンプを表示している。画面下に指示されている「登録」操作を行うと、表示されている音声スタンプが登録（記録）される。
【００６２】
一方、ステップＳ３１において、音声データを加工しないという指示があると（ステップＳ３１；Ｎ）、ＣＰＵ１１は、画像データに当該音声データを関連付け（ステップＳ３８）、音声スタンプを設定登録し、一連の音声スタンプ作成処理Ｂを終了する（ステップＳ３９）。
【００６３】
図１２は、ステップＳ２９でスピーカの画像を選択し、ステップＳ３１で音声データの加工をしないことを選択した場合にステップＳ３９で表示部１６に表示される音声スタンプ設定画面１００５を例示する図である。画面下に指示されている「登録」操作を行うと、表示されている“onsei1.abc”のファイル名の音声スタンプが登録（記録）される。
【００６４】
以上説明した様に、情報端末装置１によれば、音声データと所望の画像データを対応付けて音声スタンプを作成、登録する。音声データは加工することができ、加工する場合には、ユーザは加工の種類と加工度を指定し、好みの画像エフェクトを選択するだけで音声データを加工し、音声データの加工の種類と加工度に対応した画像エフェクトを画像データに施し、音声スタンプとして設定する。これによって、ユーザが簡単に音声データを加工できるようになり、設定された音声スタンプの画像から、加工内容を容易に知ることができるようになる。
【００６５】
なお、上記第２の実施の形態における記述内容は、本発明に係る情報端末装置１の好適な一例であり、これに限定されるものではない。
例えば、上記実施の形態では、ステップＳ２６で録音した音声データファイル１７１を作成した後に、引き続き音声スタンプの作成のステップに入っているが、録音、作成した音声データファイル１７１を保存しておき、後日音声スタンプを作成することもできる。また、予め音声データの加工の種類と度合いを決めてから録音し、録音した音声データを自動的に加工して音声スタンプを作成するものとしてもよい。
【００６６】
さらに、ステップＳ３５の音声データ加工のあと、すぐに画像データを合成しているが、一旦加工した音声データを出力して、ユーザの嗜好にあった音声が出力されなければ、ステップＳ３３の加工に対応する画像エフェクト選択のステップまで戻り、嗜好にあった音声加工がなされるまでステップＳ３３〜ステップＳ３５の各処理を繰り返し行うようにしてもよい。
【００６７】
〔第３の実施の形態〕
以下、上記各実施の形態の応用例として、登録された音声スタンプが表示されている場合に、当該音声スタンプの加工度を切り替えるための実施の形態について詳述する。なお、本実施の形態における情報端末装置１の構成は、上述した第１の実施の形態と同様であるので、各構成要素には同一の符号を付し、その構成の図示及び説明は省略する。
【００６８】
以下、動作を説明する。
情報端末装置１により実行される加工度変更処理について図２３のフローチャートを参照して説明する。なお、ここで使用される音声スタンプは第1の実施の形態で登録されたものであっても、第２の実施の形態で登録されたものであっても、加工度変更処理を行うことができるが、ここでは、第１の実施の形態で登録された音声スタンプに対して加工度の切り替えを行う動作について説明する。
【００６９】
まず、ＣＰＵ１１は、入力部１２により特定の音声スタンプの表示を指示する信号が入力されると、表示部１６に音声スタンプを表示させる（ステップＳ４１）。そして、音声スタンプの加工度を変更するとういう指示が入力されると（ステップＳ４２；Ｙ）、ＣＰＵ１１は、当該音声スタンプに加工が施されているかどうかを判別し、加工が施されていると判別すると（ステップＳ４３；Ｙ）、記憶装置１７の音声スタンプ登録情報ファイル（１）１７３（図２参照）から音声スタンプの情報を読み出す（ステップＳ４４）。そして、ＣＰＵ１１は、当該音声スタンプに加工度の変更の指示がされる毎に音声を出力する（ステップＳ４５）。加工度の変更の指示とは、例えば、当該音声スタンプにマウスポインタを合わせて１回クリックするという操作によってなされる。
【００７０】
そして、ＣＰＵ１１は、出力した音声データの加工度に応じて音声スタンプの画面を切り替えて表示させる（ステップＳ４６）。加工が終了すると（ステップＳ４７；Ｎ）、当該音声スタンプを登録するかを確認し、登録の指示があると（ステップＳ４８；Ｙ）、当該音声スタンプを新規に登録し、一連の加工度変更処理を終了する（ステップＳ４９）。
【００７１】
図２４、図２５は、ステップＳ４５でマウスによるクリック等の操作により音声データの加工度が変更され、ステップＳ４６で加工度の変更に応じて画像データが切り替わる様子を図示したものである。図２４は、第１の実施の形態で設定登録した画像データと、音声データの加工の種類に対応した合成マークとの合成画像による音声スタンプの加工度切り替えの様子を示している。図２５は、第２の実施の形態で設定登録した画像データに、音声データの加工の種類に対応した画像エフェクトを施した音声スタンプの加工度切り替えの様子を示している。
【００７２】
一方、ステップＳ４２において、音声スタンプの加工度の変更が指示されなければ（ステップＳ４２；Ｎ）、音声データを出力する（ステップＳ５０）。また、音声データが加工されていなければ（ステップＳ４３；Ｎ）、前述した音声スタンプ作成処理Ａ（図７参照）のステップＳ１２〜ステップＳ１８の処理を行い、音声データを加工した音声スタンプを作成する。
【００７３】
以上説明した様に、情報端末装置１によれば、登録された音声スタンプの画像をクリックする等の簡単な操作で音声スタンプに登録された音声データの加工度を切り替えて出力すると共に、その出力に併せて音声スタンプの画像も変化させて表示する。そして、登録指示の有った時点でその音声スタンプを登録する。これによって、ユーザが簡単に音声スタンプに登録された音声データの加工度を切り替えることができるようになる。
【００７４】
なお、上記各実施の形態における記述内容は、本発明に係る情報端末装置の好適な一例であり、これに限定されるものではない。
例えば、上記実施の形態では、第1の実施の形態で登録された音声スタンプにおける音声データの加工度を切り替える処理をしているが、第２の実施の形態において登録された音声スタンプにおいては、ＣＰＵ１１がステップＳ４４において該音声スタンプに加工が施されていないと判断すると、音声スタンプ作成処理Ｂ（図１５参照）のステップＳ３２〜ステップＳ３９の処理を行うようにしてもよい。
【００７５】
〔第４の実施の形態〕
以下、上記各実施の形態の応用例として、音声データを解析し、解析結果から加工の種類を判断し、解析結果と加工の種類に対応して画像データを合成する実施の形態について詳述する。なお、本実施の形態における情報端末装置１の構成は、上述した第１の実施の形態と同様であるので、各構成要素には同一の符号を付し、その構成の図示及び説明は省略する。
【００７６】
但し、情報端末装置１の音声処理部１８は、マイク１８ｂ等により入力された音声データを解析する。また、記憶装置１７に形成された図２６に示す音声データファイル１７１、画像データファイル１７２、音声解析スタンプ登録情報ファイル１７６を有して構成されており、音声解析スタンプ登録情報ファイル１７６は、本実施の形態特有の構成要素であるので以下詳細に説明する。
【００７７】
図２７に示す様に、音声解析スタンプ登録情報ファイル１７６は、ファイル名領域１７６ａと、音声データ名領域１７６ｂと、画像データ名領域１７６ｃと、解析結果領域１７６ｄと、登録日領域１７６ｅと、登録時間領域１７６ｆと、から構成される。
【００７８】
ファイル名領域１７６ａは、音声解析スタンプを特定するために一意的に割り当てられた識別コード（例えば、“onsei.abc”、“onsei1.abc”、“onsei2.abc”、…）を「ファイル名」として格納する。音声データ名領域１７６ｂは、当該音声スタンプに登録されている音声データを特定するために一意的に割り当てられた識別コード（例えば、“yama.def”、“kawa.def”、“umi.def”、…）を「音声データ名」として格納する。画像データ名領域１７６ｃは、該音声スタンプに登録されている画像データを特定する為に一意的に割り当てられた識別コード（例えば、“speaker.ghi”、“house.ghi”、“maru.ghi”、…）を「画像データ名」として格納する。
【００７９】
解析結果領域１７６ｄは、音声データの解析結果を表すための文字列データ（例えば、“人の声”、“楽器”…）を「解析結果」として格納する。登録日領域１７６ｅは、該音声スタンプが登録された日付を表す日付データ（例えば、“01.03.10”、“01.03.09”、“01.02.10”、…）を「登録日」として格納する。登録時間領域１７６ｆは、該音声スタンプが登録された時間を表すデータ（例えば、“15：01”、“14：58”、“12：00”、…）を「登録時間」として格納する。
【００８０】
以下、動作を説明する。
情報端末装置１により実行される音声解析スタンプ作成処理について図２８のフローチャートを参照して説明する。
【００８１】
まず、ＣＰＵ１１は、入力部１２により音声解析スタンプの作成を指示する信号が入力されると（ステップＳ６１）、録音して音声データを作成するか、既存の音声データを利用するか、の選択画面を表示する（ステップＳ６２）。録音が選択されると（ステップＳ６３；Ｙ）、ＣＰＵ１１は、音声処理部１８により録音を開始し（ステップＳ６４）、録音が終了すると（ステップＳ６５；Ｙ）、音声データファイルを作成し、当該音声データファイルを、音声解析スタンプを作成するための音声データとして認識する（ステップＳ６６）。一方、既存の音声データの利用が選択されると（ステップＳ６３；Ｎ）、ＣＰＵ１１は、記憶装置１７に記憶されている音声データファイル１７１の一覧を表示し（ステップＳ６７）、音声データが選択されると、当該音声データを、音声解析スタンプを作成するための音声データとして認識する（ステップＳ６８）。
【００８２】
次に、ＣＰＵ１１は、記憶装置１７に記憶されている画像データファイル１７２の画像データを表示させる（ステップＳ６９）。表示一覧の中から当該音声データに対応させる画像データが選択されると（ステップＳ７０）、ＣＰＵ１１は、当該音声データを解析し（ステップＳ７１）、解析した結果を表示部１６に表示させる（ステップＳ７２）。
【００８３】
図２９は、ステップＳ７２で表示部１６に表示される、音声データの解析結果を表示する音声データ解析結果表示画面１０１３の例である。画面上には、「音声データの解析」と表示され、その下に「音声データを解析した結果、人の声が含まれています」等の文字により、ユーザに対して解析結果を示すと共に、解析結果に応じた解析合成画像を表示する。
【００８４】
図３０は、解析合成画像と解析結果の対応関係を一覧表示した解析合成画像一覧表示画面１０１４の例を示す図である。ユーザは、所定の入力操作により、解析合成画像一覧表示画面１０１４の解析合成画像を自由に切替表示して画像と解析結果の対応関係を確認することができる。
【００８５】
図２８に戻り、解析結果を表示させた後、ＣＰＵ１１は、解析合成画像を選択するか否かの選択画面を表示部１６に表示させる。ユーザが解析合成画像を選択するという指示があると（ステップＳ７３；Ｙ）、ＣＰＵ１１は、図３１に示す解析合成画像変更選択画面１０１５を一覧表示させる（ステップＳ７４）。次に、ユーザは、解析合成画像変更選択画面１０１５上の解析合成画像の中から、解析結果に対応させる所望の解析合成画像を選択する（ステップＳ７５）。そして、ＣＰＵ１１は、ステップＳ７０で選択した画像データと、ステップＳ７５で選択した、解析結果に応じた解析合成画像とを合成し（ステップＳ７６）、合成した画像に音声データファイルを関連付けて（ステップＳ７７）、音声解析スタンプとして設定登録する（ステップＳ７８）。
【００８６】
図３１は、ステップＳ７４で表示部１６に表示される解析合成画像の変更候補を示した解析合成画像変更選択画面１０１５の例を示す図である。図３１に示す様に、解析合成画像変更選択画面１０１５は、「画像を選択して下さい」等のユーザへの指示メッセージが表示され、その下に、解析合成画像の選択候補が一覧表示される。ユーザは一覧表示されている解析合成画像の選択候補の中から所望の画像にカーソルを合わせ、選択ボタンを指定することにより、画像データを選択する。
【００８７】
一方、ステップＳ７３において、ユーザが解析合成画像を選択しないという指示があると（ステップＳ７３；Ｎ）、ＣＰＵ１１は、図３０に示す様な解析合成画像と解析結果との対応関係に基づいて、ステップＳ７１における解析結果に対応する解析合成画像を自動的に選択し、この解析合成画像とステップＳ７０で選択した画像データとを合成する（ステップＳ７６）。そして、ＣＰＵ１１は、合成した画像に音声データファイルを関連付けて（ステップＳ７７）、音声解析スタンプとして設定登録する（ステップＳ７８）。
【００８８】
以上説明した様に、情報端末装置１によれば、音声データの内容を解析し、解析結果に対応した解析合成画像と画像データとを合成して当該音声データに関連付けることによって音声解析スタンプを設定、登録（記録）する。これによって、ユーザは、音声データの内容を簡単に把握することができる。
【００８９】
なお、上記各実施の形態における記述内容は、本発明に係る情報端末装置１の好適な一例であり、これに限定されるものではない。
例えば、上記実施の形態により登録された音声解析スタンプに関しても、第３の実施の形態における加工度の切り替えを行うことができる。
【００９０】
また、上述した第１から第４の実施の形態において、第３の実施の形態以外は独立した機能として実現可能であるが、１つのアプリケーションの中にある機能としてそれぞれの実施の形態をユーザが選択できるようにすることで、加工のバリエーションも増え、ユーザインターフェイスを向上させることができる。
その他、情報端末装置１の細部構成、及び詳細動作に関しても、本発明の趣旨を逸脱することのない範囲で適宜変更可能である。
【００９１】
【発明の効果】
請求項１記載の発明によれば、録音した、あるいは録音されていた音声データに対応させる画像データを、一覧表示した画像データの中から選択し、音声データを加工する為の加工の種類に対応した第２の画像データを選択することにより、加工の種類を選択する。そして、選択された加工の種類に従って、音声データを加工し、加工された音声データを第１の画像データと第２の画像データを合成した画像データと対応付けて記録する。従って、ユーザは音声データに対して思い通りの加工をすることができ、また、加工の種類に応じた画像データを表示することにより、音声データの加工内容を容易に知ることができるようになる。
【００９２】
請求項２記載の発明によれば、録音した、あるいは録音されていた音声データに対応させる画像データを、一覧表示した画像データの中から選択し、音声データの加工の種類を選択し、選択された加工の種類に対応する第２の画像データを選択した後、音声データの加工度を指定する。そして、選択された加工の種類と指定された加工度に従って、音声データを加工し、加工された音声データを第１の画像データと第２の画像データを合成した画像データと対応付けて記録する。従って、ユーザは音声データに対して思い通りの加工をすることができ、また、加工の種類のみならず加工度に応じた画像データを変化させて表示することにより、音声データの加工内容をより容易に知ることができるようになる。
【００９３】
請求項３記載の発明によれば、記録された音声データに対応付けられた画像データを表示し、表示された画像データの中から加工度を切り替える画像データを選択し、前記画像データが選択される毎に、画像データに対応する音声データの加工度を切り替えて出力し、変更された加工度に対応させて画像データを切り替える。従って、すでに記録されている音声データに対応づけられた画像データに簡単な操作をすることによって当該音声データの加工を切り替えることができ、ユーザは思い通りの音声データの加工を容易に行うことができる。
【００９４】
請求項４記載の発明によれば、録音した、あるいは録音されていた音声データに対応させる画像データを、一覧表示した画像データの中から選択し、音声データを解析し、解析した結果に基づいて判定された加工の種類に対応する画像データ、又は選択指定された新規の画像データを第２の画像データとして選択し、前記音声データを第１の画像データと第２の画像データを合成した画像データと対応付けて記録する。従って、音声データの内容が視覚的に識別可能となり、その結果、ユーザは音声データの加工内容を一目で把握できるようになる。
【００９５】
請求項５記載の発明によれば、録音した、あるいは録音されていた音声データに対応させる画像データを、一覧表示した画像データの中から選択させ、音声データを加工する為の加工の種類に対応した第２の画像データを選択させることにより、加工の種類を選択させて、選択された加工の種類に従って音声データを加工し、加工された音声データを第１の画像データと第２の画像データを合成した画像データと対応付けて記録させるプログラムをコンピュータに読み込ませることで、請求項１に記載する機能を実現できる。従って、システムと独立したソフトウェア製品単体としての販売、配布も容易になる。また、汎用コンピュータ等のハードウェア資源を用いて、当該プログラムを実行することにより、本発明の技術をハードウェア上で容易に実施できる。
【００９６】
請求項６記載の発明によれば、録音した、あるいは録音されていた音声データに対応させる画像データを、一覧表示した画像データの中から選択させ、音声データの加工の種類と、選択された加工の種類に対応する第２の画像データを選択させ、音声データの加工度を指定させて、加工の種類と加工度に従って、音声データを加工して、加工された音声データを第１の画像データと第２の画像データを合成した画像データと対応付けて記録させるプログラムをコンピュータに読み込ませることで、請求項２に記載する機能を実現できる。従って、システムと独立したソフトウェア製品単体としての販売、配布も容易になる。また、汎用コンピュータ等のハードウェア資源を用いて、当該プログラムを実行することにより、本発明の技術をハードウェア上で容易に実施できる。
【００９７】
請求項７記載の発明によれば、録音した、あるいは録音されていた音声データに対応させる画像データを、一覧表示した画像データの中から選択させ、音声データを解析させ、解析した結果に基づいて判定された加工の種類に対応する画像データ、又は選択指定された新規の画像データを第２の画像データとして選択させ、前記音声データを第１の画像データと第２の画像データを合成した画像データと対応付けて記録させるプログラムをコンピュータに読み込ませることで、請求項２に記載する機能を実現できる。従って、システムと独立したソフトウェア製品単体としての販売、配布も容易になる。また、汎用コンピュータ等のハードウェア資源を用いて、当該プログラムを実行することにより、本発明の技術をハードウェア上で容易に実施できる。
【図面の簡単な説明】
【図１】本発明に係る情報端末装置１の機能的構成を示すブロック図である。
【図２】図１の記憶装置１７内部のファイル構成を示す図である。
【図３】図２の音声データファイル１７１内部のデータ格納例を示す図である。
【図４】図２の画像データファイル１７２内部のデータ格納例を示す図である。
【図５】図２の音声スタンプ登録情報ファイル（１）１７３内部のデータ格納例を示す図である。
【図６】図２の合成マークファイル１７４内部のデータ格納例を示す図である。
【図７】図１のＣＰＵ１１により実行される音声スタンプ作成処理Ａの動作を示すフローチャートである。
【図８】図７のステップＳ７で表示される音声データファイル選択画面１００１の一例を示す図である。
【図９】図７のステップＳ９で表示される画像データ選択画面１００２の一例を示す図である。
【図１０】図７のステップＳ１３で表示される合成マーク選択画面１００３の一例を示す図である。
【図１１】図７のステップＳ１８で表示される音声スタンプ設定画面１００４の一例を示す図である。
【図１２】図７のステップＳ３９で表示される音声スタンプ設定画面１００５の一例を示す図である。
【図１３】図１の記憶装置１７内部のファイル構成を示す図である。
【図１４】図１３の音声スタンプ登録情報ファイル（２）１７５内部のデータ格納例を示す図である。
【図１５】図１のＣＰＵ１１により実行される音声スタンプ作成処理Ｂの動作を示すフローチャートである。
【図１６】図１５のステップＳ３２で表示される、音声データに施す加工の種類選択画面１００６の一例を示す図である。
【図１７】図１５のステップＳ３３で表示される画像エフェクト選択画面１００７の一例を示す図である。
【図１８】図１５のステップＳ３４で表示される加工度入力画面１００８の一例を示す図である。
【図１９】図１５のステップＳ３４で表示される加工度入力画面１００９の一例を示す図である。
【図２０】図１５のステップＳ３４で表示される加工度入力画面１０１０の一例を示す図である。
【図２１】図１５のステップＳ３４で表示される加工度入力画面１０１１の一例を示す図である。
【図２２】図１５のステップＳ３９で表示される音声スタンプ設定画面１０１２の一例を示す図である。
【図２３】図１のＣＰＵ１１により実行される加工度変更処理の動作を示すフローチャートである。
【図２４】図２３のステップＳ４６における画面切り替えの一例を示す図である。
【図２５】図２３のステップＳ４６における画面切り替えの一例を示す図である。
【図２６】図１の記憶装置１７内部のファイル構成を示す図である。
【図２７】図２６の音声解析スタンプ登録情報ファイル１７６内部のデータ格納例を示す図である。
【図２８】図１のＣＰＵ１１により実行される音声解析スタンプ作成処理の動作を示すフローチャートである。
【図２９】図２８のステップＳ７０で表示される音声データ解析結果表示画面１０１３の一例を示す図である。
【図３０】図２８のステップＳ７０で表示される解析合成画像と、解析結果との対応関係を表す解析合成画像一覧表示画面１０１４の一例を示す図である。
【図３１】図２８のステップＳ７４で表示される解析合成画像変更選択画面１０１５の一例を示す図である。
【符号の説明】
１    情報端末装置
１１    ＣＰＵ
１２    入力部
１３    ＲＡＭ
１４    伝送制御部
１５    ＶＲＡＭ
１６    表示部
１７    記憶装置
１７ａ  記録媒体
１８    音声処理部
１８ａ  スピーカ
１８ｂ  マイク
【図１】
0004158356.tif 000002
【図２】
0004158356.tif 000003
【図３】
0004158356.tif 000004
【図４】
0004158356.tif 000005
【図５】
0004158356.tif 000006
【図６】
0004158356.tif 000007
【図７】
0004158356.tif 000008
【図８】
0004158356.tif 000009
【図９】
0004158356.tif 000010
【図１０】
0004158356.tif 000011
【図１１】
0004158356.tif 000012
【図１２】
0004158356.tif 000013
【図１３】
0004158356.tif 000014
【図１４】
0004158356.tif 000015
【図１５】
0004158356.tif 000016
【図１６】
0004158356.tif 000017
【図１７】
0004158356.tif 000018
【図１８】
0004158356.tif 000019
【図１９】
0004158356.tif 000020
【図２０】
0004158356.tif 000021
【図２１】
0004158356.tif 000022
【図２２】
0004158356.tif 000023
【図２３】
0004158356.tif 000024
【図２４】
0004158356.tif 000025
【図２５】
0004158356.tif 000026
【図２６】
0004158356.tif 000027
【図２７】
0004158356.tif 000028
【図２８】
0004158356.tif 000029
【図２９】
0004158356.tif 000030
【図３０】
0004158356.tif 000031
【図３１】
0004158356.tif 000032